(57)【特許請求の範囲】
【請求項１】
バッテリーポストの外周部に嵌合される円環状の電極嵌合部と、この電極嵌合部の開口端側に連接されて隙間を挟んで対向する一対の締付片部と、前記両締付片部に形成された貫通孔を貫通して設けられるボルト及びそれと螺合するナットと、電線が接続される電線接続部とを一体に有するバッテリータミナルにおいて、
前記両締付片部の各貫通孔の内周縁部には、バーリング加工によって相手側の締付片部側に延びるストッパ筒がそれぞれ形成され、前記ボルトによる締め付けがなされることで、前記両ストッパ筒が当接し合うようになっていることを特徴とするバッテリーターミナル。
【請求項２】
前記一方の締付片部には、前記電極嵌合部とは反対側に位置してその電極嵌合部とで前記貫通孔を挟む予備ストッパが形成されていることを特徴とする請求項１記載のバッテリーターミナル。
【請求項３】
前記バッテリータミナルの締付時には、前記予備ストッパが前記締付片部に当接した後に前記両ストッパ筒が当接する寸法に設定されていることを特徴とする請求項２記載のバッテリーターミナル。
【発明の詳細な説明】
【０００１】
【発明の属する技術分野】
本発明は自動車等に搭載されるバッテリーのバッテリーポストに取り付けられるバッテリーターミナルに係わり、特に、取付時の過剰な締付を防止できるようにしたものに関する。
【０００２】
【従来の技術】
この種のバッテリーターミナルとして、実開平４−５１７６１号公報に記載されたものが知られている。これは、例えば図４に示すように、バッテリーポスト７に嵌合させる円環状の嵌合部２に連接された一対の締付片部３，３のうちの一方の端部を、他方の締付片部３側にむけて曲げ加工することにより、ストッパ４を形成した構成のものである。このようなバッテリーターミナル１をバッテリーポスト７に取り付ける際は、嵌合部２をバッテリーポスト７の周囲にはめ込んだ後、ナット６を締め付ければよい。両締付片部３，３が互いに接近し、ストッパ４が反対側の締付片部３に当接すると、ナット６の締付トルクが制限されてそれ以上ねじ込むことができなくなるため、作業者は締付が完了したことを認識することができる。
【０００３】
【発明が解決しようとする課題】
しかし、上記した従来の構成では、実際に締付が行われるボルト５及びナット６の位置から離れた箇所にストッパ４が形成されているため、ナット６の締付時に過度の力が加わると締付片部３が撓み変形してしまうという問題が生じる（図５（Ｂ）参照）。このような端子変形が起きると、締付トルクを増大させても締付エネルギーは端子変形に費やされるため、バッテリーポスト７への密着性は高まらない。また、締付片部３の変形が弾性限界を超えた場合には、バッテリータミナル１の繰り返し使用ができなくなる。
【０００４】
本発明は上記事情に鑑みてなされたものであり、端子を変形させることなくバッテリーポストへの締付を行うことができるとともに、繰り返し使用可能なバッテリーターミナルを提供することを目的とするものである。
【０００５】
【課題を解決するための手段】
請求項１の発明に係るバッテリーターミナルは、バッテリーポストの外周部に嵌合される円環状の電極嵌合部と、この電極嵌合部の開口端側に連接されて隙間を挟んで対向する一対の締付片部と、前記両締付片部に形成された貫通孔を貫通して設けられるボルト及びそれと螺合するナットと、電線が接続される電線接続部とを一体に有するバッテリータミナルにおいて、前記両締付片部の各貫通孔の内周縁部には、バーリング加工によって相手側の締付片部側に延びるストッパ筒がそれぞれ形成され、前記ボルトによる締め付けがなされることで、前記両ストッパ筒が当接し合うようになっているところに特徴を有する。
【０００６】
請求項２の発明に係るバッテリーターミナルは、請求項１において、一方の締付片部には、電極嵌合部とは反対側に位置してその電極嵌合部とで貫通孔を挟む予備ストッパが形成されているところに特徴を有する。
【０００７】
請求項３の発明に係るバッテリーターミナルは、請求項２において、バッテリータミナルの締付時には、予備ストッパが締付片部に当接した後に両ストッパ筒が当接する寸法に設定されているところに特徴を有する。
【０００８】
【発明の作用・効果】
上記請求項１の発明によれば、実際に締付の行われるボルトの位置にストッパ筒が形成される構成であるので、締付時に過度の力が加わった場合でも、両締付片部はストッパ筒によって接近距離が制限される。このため、過度に締め付けられても従来のように端子が変形してしまうことがない。なお、ストッパ筒は両締付片部にバーリング加工を行うことによって形成されているが、このようにストッパ筒を突き当てる構成であると面と面、或いはバーリング部と面によってストッパを構成する場合に比べて変形し難く、丈夫である。
【０００９】
請求項２の発明によれば、上記ストッパ筒に加えて予備ストッパを設けることによって、ストッパ筒に係る締付力を両者に分散させることが可能であり、ストッパ筒がより変形し難いという効果を奏する。
【００１０】
さらに、請求項３の発明によれば、締付時に、まず電極嵌合部からストッパ筒よりも遠い位置に形成されている予備ストッパが機能することによって、締付が一旦規制される。さらに力を加えて締付を行うと、締付片部が若干弾性変形するとともに、締付の行われるボルトに位置する両ストッパ筒が互いに当接するため、それ以上の締付が完全に制限される。このように、嵌合部から遠い位置から嵌合部側に向かって締付力が作用するように構成されていることによって、電極嵌合部のバッテリーポストへの締付が確実に行われるとともに、高い保持力を維持することができるという効果を奏する。
【００１１】
【発明の実施の形態】
以下、本発明を具体化した一実施形態について図１及び図２を参照して説明する。
図１は本実施形態のバッテリーターミナルの全体構成を示す斜視図である。図１に示すように、バッテリーターミナル１０は、例えば金属板材を曲げ加工して形成されており、バッテリーのバッテリーポスト２０の外周部に嵌合される断面ほぼＣ字状の電極嵌合部１１と、この電極嵌合部１１の開口端部から連接されて対向する一対の板状の締付片部１２と、そのうちの一方の締付片部１２Ａの先端部に連接して形成される、電線をかしめ固定するための電線接続部１３とを有している。
【００１２】
上記両締付片部１２は、その断面がコ字状になるように両端縁部に外側に向かってほぼ直角に曲げ加工された補強リブ１２Ｃが形成されているとともに、両締付片部１２を締結するボルト１７を貫通させるための貫通孔１４が形成されている。
そしてこれら各貫通孔１４の内周縁部には、対向する締付片部１２側に向かって延びるストッパ筒１５が、バーリング加工によって突出して形成されている。さらに、上記締付片部１２Ａと対向する締付片部１２Ｂの先端部には、予備ストッパ１６が、締付片部１２Ａ側に向けて曲げ加工して形成されている。なおこの予備ストッパ１６のストッパ高さは、上記両ストッパ筒１５の合計高さよりも、若干高くなるように寸法設定されている。
【００１３】
上記構成のバッテリーターミナル１０をバッテリーに取り付ける際は、図２（Ａ）に示すように、まず電極嵌合部１１をバッテリーポスト２０の周囲に嵌合させる。この時電極嵌合部１１はバッテリーポスト２０の径より大きくなるように開いているので、バッテリーポスト２０への取付、取り外し作業は容易に行うことができる。
次に、両締付片部１２に貫通しているボルト１７に取り付けられたナット１８を、レンチ等によってねじ込めばよい。ナット１８がボルト１７にねじ込まれることによって、両締付片部１２Ａ，１２Ｂが次第に接近すると共に、電極嵌合部１１がバッテリーポスト２０に締め付けられてゆく。そして予備ストッパ１６の先端部が締付片部１２Ａに当接すると、一旦締め付けが規制される。その後さらに力を加えて締め付けると、締付片部１２Ａが若干弾性変形して、両ストッパ筒１５がゆっくりと当接し合う。両ストッパ筒１５が完全に当接すると、ナット１８の締付が完了する（図２（Ｂ）参照）。
【００１４】
このように、本発明のバッテリーターミナル１０によれば、実際に締付が行われるボルト１８の位置にストッパ筒１５を設ける構成としたことにより、過剰な締付力が加わった場合でも、ストッパ筒１５が互いに当接して、締付片部１２の接近を制限する。このため、バッテリーターミナル１０が変形してしまうことがなく、バッテリーターミナル１０の繰り返し使用が可能である。
【００１５】
また、電極嵌合部１１からストッパ筒１５よりも遠い位置に予備ストッパ１６が形成されており、締付時には両ストッパ筒１５が当接し合う前に予備ストッパ１６が締付片部１２Ａに当接するように寸法設定されている。従って、締付力がストッパ筒１５と予備ストッパ１６とに分散されて、より変形し難い構成となっているとともに、電極嵌合部１１から遠い位置から電極嵌合部１１側に向かって締付力が作用することになり、バッテリーポスト２０の保持力が向上するという優れた効果を奏する。
【００１６】
なお、本発明は上記記述及び図面によって説明した実施形態に限定されるものではなく、例えば図３に示すように、締付片部３０の図中上下方向の端縁部を他方の締付片部３０側に曲げ加工して、予備ストッパ３１を形成してもよい。なお図３では、上記実施形態と同一部位には同一符号を付してある。
また、その他にも要旨を逸脱しない範囲内で種々変更して実施することができる。
【図面の簡単な説明】
【図１】本発明の一実施形態のバッテリーターミナルを示す斜視図
【図２】同じくバッテリーターミナルを示す平面図
【図３】本発明の他の実施形態のバッテリーターミナルを示す斜視図
【図４】従来のバッテリータミナルを示す斜視図
【図５】同じく平面図
【符号の説明】
１０…バッテリータミナル
１１…電極嵌合部
１２…締付片部
１３…電線接続部
１４…貫通孔
１５…ストッパ筒
１６…予備ストッパ
１７…ボルト
１８…ナット
【図１】
0003622524.tif 000002
【図２】
0003622524.tif 000003
【図３】
0003622524.tif 000004
【図４】
0003622524.tif 000005
【図５】
0003622524.tif 000006